(57)【要約】【課題】花崗岩に含まれる成分を水で抽出した抽出液並びに岩石を焼成した粉砕物を原料として、自然環境の保全に貢献する洗浄剤とその洗浄剤原液及び浄化剤を提供する。【解決手段】石英、長石類及び雲母類を含有する花崗岩の破砕物に水を加えて煮沸して得られる抽出液からなる洗浄剤原液、前記の洗浄剤原液を主原料とし、これに洗剤を添加して得られる洗浄剤、花崗岩の破砕物乃至は石英及びムライトを含有してなる岩石の破砕物或いはこれらの破砕物の混合物を焼成してなる浄化剤、前記の浄化剤に洗浄剤原液を加えた洗浄剤からなる。【特許請求の範囲】
【請求項１】
石英、長石類及び雲母類を含有する花崗岩の破砕物に水を加えて煮沸して得られる抽出液からなる洗浄剤原液。
【請求項２】
石英（Ｑｕａｒｔｚ）［Ｓｉｏ２］、
曹長石（Ａｌｂｉｔｅ）［（Ｎａ，Ｃａ）Ａｌ（Ｓｉ，Ａｌ）３Ｏ８］及び／又は灰長石（Ａｎｏｒｔｈｉｔｅ）［ＣａＡｌ２Ｓｉ２Ｏ８］、
金雲母（Ｐｈｌｏｇｏｐｉｔｅ）［Ｋ（Ｍｇ，Ｆｅ）３（Ａｌ，Ｆｅ）Ｓｉ３Ｏ１０（ＯＨ，Ｆ）２］又は／及び黒雲母（Ｂｉｏｔｉｔｅ）［ＫＡｌ２（ＡｌＳｉ３Ｏ１０（ＯＨ，Ｆ）２）］、
を含有する花崗岩の破砕物にアルカリイオン水を加えて煮沸して得られる抽出液からなる洗浄剤原液。
【請求項３】
請求項１又は２に記載された洗浄剤原液を主原料とし、これに洗剤を添加して得られる洗浄剤。
【請求項４】
前記の洗剤は、台所用合成洗剤、洗濯用合成洗剤及び石鹸の中から選ばれる少なくとも一種からなることを特徴とする請求項３記載の洗浄剤。
【請求項５】
請求項１乃至２記載の花崗岩の破砕物、石英（Ｑｕａｒｔｚ）［Ｓｉｏ２］及びムライト（Ｍｕｌｌｉｔｅ）［Ａｌ６Ｓｉ２Ｏ１３］を含有する岩石の破砕物、並びに前記の花崗岩と石英及びムライトの破砕物を混合した破砕混合物の中から選ばれる少なくとも一種の岩石の破砕物を焼成してなる浄化剤。
【請求項６】
請求項５記載の浄化剤に請求項１乃至２記載の洗浄剤原液又は請求項３乃至４記載の洗浄剤を加えたことを特徴とする洗浄剤。
【請求項７】
請求項６記載の洗浄剤に台所用合成洗剤、洗濯用合成洗剤及び石鹸の中から選ばれる少なくとも一種を加えたことを特徴とする洗浄剤。
【発明の詳細な説明】
【０００１】
【発明の属する技術分野】
本発明は、花崗岩に含まれる成分を水で抽出した抽出液並びに前記花崗岩等を焼成した粉砕物を原料として、自然環境の保全に貢献する洗浄剤原液と洗浄剤及び浄化剤に関する。
【０００２】
【従来の技術】
従来、合成洗剤、漂白剤、除菌剤、除虫剤、化学肥料、土壌改良剤等は一般に化学物質からなり、これらを大量に使用し川や海に排出される結果、自然環境を破壊する原因ともなり、生物の生態系に悪影響を与えることが指摘されている。そして一旦環境破壊や生態系の異常が起きると、使用を中止しても回復に長期間を要することから、かかる環境破壊などの生じない天然素材が見直され、天然素材を使用した商品の開発が要望されていた。
【０００３】
【発明が解決しようとする課題】
本願発明者は、鋭意研究した結果、前記のような問題点を解消して、花崗岩等の天然素材を主材とした洗浄剤などの開発を進めていたところ、特定の成分を含有する岩石の一種を水で抽出した抽出液並びに前記抽出液に既存の洗剤類を少量添加した液体が著しい洗浄作用を呈することを知見し、本発明に到ったものである。
【０００４】
本発明は、天然素材を主材とし、従来、合成洗剤、漂白剤等の化学品を主材として使用していたものを、この洗浄剤を使用することによって、手荒れや肌荒れの心配がなく、人体に対して無害であるばかりでなく、自然環境に対しても極めて優しく公害などの発生の虞もない洗浄剤とその洗浄剤原液及び浄化剤を提供することを目的とする。
【０００５】
【課題を解決するための手段】
前記の課題を解決するために、本発明は、石英、長石類及び雲母類を含有する花崗岩の破砕物に水を加えて煮沸して得られる抽出液からなる洗浄剤原液とする（請求項１）。
【０００６】
また、前記の課題を解決するために、本発明は、石英（Ｑｕａｒｔｚ）［Ｓｉｏ２］、
曹長石（Ａｌｂｉｔｅ）［（Ｎａ，Ｃａ）Ａｌ（Ｓｉ，Ａｌ）３Ｏ８］及び／又は灰長石（Ａｎｏｒｔｈｉｔｅ）［ＣａＡｌ２Ｓｉ２Ｏ８］、
金雲母（Ｐｈｌｏｇｏｐｉｔｅ）［Ｋ（Ｍｇ，Ｆｅ）３（Ａｌ，Ｆｅ）Ｓｉ３Ｏ１０（ＯＨ，Ｆ）２］又は／及び黒雲母（Ｂｉｏｔｉｔｅ）［ＫＡｌ２（ＡｌＳｉ３Ｏ１０（ＯＨ，Ｆ）２）］、
を含有する花崗岩の破砕物にアルカリイオン水を加えて煮沸して得られる抽出液からなる洗浄剤原液とする（請求項２）。
【０００７】
また、前記の課題を解決するために、本発明は、前記の洗浄剤原液を主原料とし、これに洗剤を添加して得られる洗浄剤とすることが好ましい（請求項３）。
【０００８】
また、前記の課題を解決するために、本発明は、前記の洗剤は、台所用合成洗剤、洗濯用合成洗剤及び石鹸の中から選ばれる少なくとも一種からなることを特徴とする前記の洗浄剤とすることが好ましい（請求項４）。
【０００９】
また、前記の課題を解決するために、本発明は、前記の花崗岩の破砕物、石英（Ｑｕａｒｔｚ）［Ｓｉｏ２］及びムライト（Ｍｕｌｌｉｔｅ）［Ａｌ６Ｓｉ２Ｏ１３］を含有する岩石の破砕物、並びに前記の花崗岩と石英及びムライトの破砕物を混合した破砕混合物の中から選ばれる少なくとも一種の岩石の破砕物を焼成してなる浄化剤とすることが好ましい（請求項５）。
【００１０】
また、前記の課題を解決するために、本発明は、前記の浄化剤に前記の洗浄剤原液又は前記の洗浄剤を加えたことを特徴とする洗浄剤とすることが好ましい（請求項６）。
【００１１】
また、前記の課題を解決するために、本発明は、前記の洗浄剤に台所用合成洗剤、洗濯用合成洗剤及び石鹸の中から選ばれる少なくとも一種を加えたことを特徴とする洗浄剤とすることが好ましい（請求項７）。
【００１２】
【作用】
本発明に係る前記の洗浄剤並びに洗浄剤原液が有する洗浄作用の詳細なメカニズムは必ずしも明らかではないが、石英、長石及び雲母の成分が水に抽出され、これらが界面活性剤の役割を果たすとともに、前記花崗岩の粉砕物を煮沸したときに粉砕物同士或いは粉砕物と水が衝突し摩擦し合うことによって、圧電エネルギーないし昇電エネルギーを生じ、これらのエネルギーを受けて水の分子を結合している水素結合が切断され水はクラスタが小さくなり、酸化還元電位が低下することによって洗浄作用を助長するものと推定される。
【００１３】
前記の石英、長石及び雲母を含有する花崗岩の破砕物並びに石英及びムライトを含有する岩石の破砕物から選ばれる少なくとも一種の岩石の破砕物を焼成したセラミックは多孔質体からなり、浄化作用と吸着作用を備えており、風呂やプールの水質浄化と水道水の塩素を吸着する作用をなす。また、このセラミックを粉砕した粉末は研磨材として作用し、前記の洗浄剤とともに使用すると洗浄作用との相乗効果で浴槽の湯垢落とし、錆落とし、ホーローの黒ずみ落とし等に効果的である。
【００１４】
【実施例】
次に、この発明の実施例について説明する。実施例１は請求項１、２を含む発明に関し、実施例２は請求項３、４を含む発明に関し、実施例３は請求項５を含む発明に関し、実施例４は請求項６、７発明を含む発明に関する。
【００１５】
実施例１
本実施例に使用した岩石（花崗岩）は、三菱マテリアル株式会社総合研究所における理学電機製  ＲＩＮＴ２２００ＨＦ  Ｕｌｔｉｍａ  ＰＣを使用した粉末Ｘ線回折法によって分析・解析した結果報告書（平成１４年１１月１９日付け）によれば、石英（Ｑｕａｒｔｚ）［Ｓｉｏ２］、曹長石（Ａｌｂｉｔｅ）［（Ｎａ，Ｃａ）Ａｌ（Ｓｉ，Ａｌ）３Ｏ８］、灰長石（Ａｎｏｒｔｈｉｔｅ）［ＣａＡｌ２Ｓｉ２Ｏ８］及び金雲母（Ｐｈｌｏｇｏｐｉｔｅ）［Ｋ（Ｍｇ，Ｆｅ）３（Ａｌ，Ｆｅ）Ｓｉ３Ｏ１０（ＯＨ，Ｆ）２］と同定された成分を含有する。該花崗岩を概ね１ｃｍ前後に破砕した破砕物約１ｋｇにＰＨ値が約８．５のアルカリイオン水約４．５リットルを加えて、１０〜１５分間煮沸した後、抽出液をろ紙乃至フィルターでろ過し、或いは遠心分離機にかけて、ろ液から洗浄剤原液を得た。
【００１６】
本発明に係る洗浄剤原液の原料となる花崗岩は、石英、長石類、雲母類を主成分とする花崗岩（Ｇｒａｎｉｔｅ）に広く適用されるのであるが、前記の長石類にはカリ長石（ＫＡｌＳｉＯ８）、ソーダ長石（ＮａＡｌＳｉ３Ｏ８）、カルシウム長石（ＣａＡｌ２Ｓｉ３Ｏ８）、及びバリウム長石があり、この内のソーダ長石（Ａｌｂｉｔｅ）である曹長石とカルシウム長石である灰長石（Ａｎｏｒｔｈｉｔｅ）を含むものが好ましい。この二つの長石は互いに任意の割合で混じり、プラジオクレース（斜長石）シリーズを形成する。前記の２種類の長石が混じって個溶体を形成するものと、薄く交互に層状組織をつくる場合があるが、本発明は何れを使用してもよい。
【００１７】
また、前記の雲母は、薄い層に剥がし易く、弾力性、電気絶縁性、耐熱性を備えた天然鉱物の総称であって、雲母類には、成分のちがいから、白雲母（マスコバイト）、金雲母（フロゴパイト）、黒雲母（バイオタイト）及び人工的に合成される人造雲母（フッ素金雲母）があり、前記の報告書によればこの内の金雲母（フロゴパイト）は黒雲母（バイオタイト）の一種であるとの見方もあり、何れも本発明に使用できるものであるが、中でも金雲母（フロゴパイト）を含有するものが好ましい。
【００１８】
実施例２
実施例１によって得られた洗浄剤原液に市販の台所用中性洗剤、洗濯用合成洗剤、天然素材からなる市販の石鹸（高級脂肪酸のソーダ塩）等の洗剤をそれぞれ６対１の割合で混合して洗浄剤を得た。洗剤を混合する割合は特に制限はないが、かき混ぜたときにやや泡が生じる程度が好ましい。洗剤の種類は用途に応じて使い分けることができる。
【００１９】
実施例３
前記の実施例１に使用したと同成分の花崗岩並びに石英（Ｑｕａｒｔｚ）［Ｓｉｏ２］及びムライト（Ｍｕｌｌｉｔｅ）［Ａｌ６Ｓｉ２Ｏ１３］を含有する岩石を凡そ２ｃｍ若位の大きさに破砕したものをそれぞれ約１対１に混合し、陶芸釜のような耐熱釜に入れて約１０００℃で約４時間前後焼成してセラミック状にしたもの、並びにこれらを粉砕して粉体乃至粒状体からなる浄化剤を得た。焼成の温度と時間は岩石の大きさや成分、破砕粒度などによって、多孔質状になるのを目安にして適宜選択することができる。同様にして、前記の花崗岩と石英及びムライトを含有する岩石の破砕混合物に代えて、前記の花崗岩単独の破砕物並びに石英及びムライトを含有する岩石単独の破砕物についてもそれぞれ前記と同様に焼成して浄化剤を得た。
【００２０】
本実施例における前記の石英とムライトを含む岩石は、三菱マテリアル株式会社総合研究所における理学電機製  ＲＩＮＴ２０００−ＰＣ  Ｕｌｔｉｍａ水平ゴニオメーターを使用した粉末Ｘ線回折法（ＸＲＤ）によって分析・解析した結果報告書（平成１３年１１月１５日付け）によれば、主成分が石英（Ｑｕａｒｔｚ）［Ｓｉｏ２］であり、少量成分としてムライト（Ｍｕｌｌｉｔｅ）［Ａｌ６Ｓｉ２Ｏ１３］が含まれており、これら２相とは別にアモルファス（非晶質）相も存在すると同定されたものである。
【００２１】
実施例４
実施例３によって得られた３種類の浄化剤に実施例１で得られた洗浄剤原液をスプレーで吹き付けるか、乃至は洗浄剤原液中に前記浄化剤を解きほぐし、これらを混合して洗浄剤を得た。さらにこの洗浄剤に実施例２において使用した洗剤を混合して洗浄剤を得た。
【００２２】
【使用例】
前記の実施例で得た洗浄剤等を色々な用途に試験的に使用した例を以下に説明する。
使用例１
実施例１で得られた洗浄剤原液は、この原液をスプレー容器に入れて噴霧すると消臭効果があり、例えば、トイレ、台所の排水口、下水マス、冷蔵庫、下駄箱、臭いのついた衣類や靴、生ゴミ、失禁・失便のオムツ、ペットの糞尿などあらゆる臭いの元にスプレーして消臭することができる。また、ガラス製品や金属製品等に吹き付けて乾燥した後で布で拭くと表面の艶を増し光沢を発して著しく見栄えがよくなる。
【００２３】
使用例２
実施例２で得られた洗濯用合成洗剤乃至石鹸を混合して洗浄剤５〜５０ｍｌを洗濯用洗剤と同時に使用して洗濯すると洗濯物の悪臭が消えるとともに、漂白剤を使用せずに洗濯物が漂白される効果がある。また、中性洗剤を混合した洗浄剤をスポンヂにしみ込ませて食器類、ホウロウ製品、ステンレス製品、ガラス製品、冷蔵庫や洗濯機などの電化製品、タイル、フローリング、自動車、釣竿、ゴルフクラブ、トイレ、風呂場、浴槽などの汚れを落として黄ばみ、カビ、錆、埃やけ、油汚れも容易に除去し、泡切れが早くて水道水の節約になり、中性洗剤の使用量が少なくなる。その上、発明者並びにモニターの３人は約６ヶ月間前記の洗浄剤を使用しているが手荒れがほとんどない。中性洗剤の種類によってはウール製品等を洗濯することもでき、その場合にウールのソフト感を保ち、柔軟剤等の化学物質を使用する必要がないので、赤子やアトピー性皮膚炎に悩む人でも安心して使用できる。実際アトピー性皮膚炎に悩む主婦１人に２〜３ヶ月間使用してもらったところ、アトピー性皮膚炎が快方に向かっているとのことである。
【００２４】
使用例３
実施例３で得られた３種類の浄化剤について、それぞれ家庭用風呂、温泉風呂、温水プール等に入れて一両日放置したところ、水道水の塩素臭が消え水質が浄化されることが確認された。また、前記の浄化剤を汚水（台所排水、下水マス等）の中に入れたところ、汚水を浄化でき、ヘドロの状態が改善された。また、実施例４で得られた洗浄剤を食器洗い用スポンジの硬い面に塗布して擦ることによって、長年にわたって浴槽に付着した湯垢・水垢・錆、ホーローの黒ずみ、食品のケース、ゴムパッキンの汚れ等、従来の合成洗剤では中々落ちなかったものを安全且つ無害に落とすことができ、その効果は抜群であることも確認されている。
【００２５】
【発明の効果】
本発明に係る洗浄剤及び浄化剤は、前記のように構成したことによって、洗浄・漂白効果、消臭効果、水の浄化等さまざまな効果を奏し、且つ、手荒れもなく、人体に極めて安全無害であり、自然環境の保全に貢献する優れた効果を奏する。